(57)【要約】【目的】比較的大きな画像を携帯電話で見やすく表示する。【構成】一駒の画像が左右に分けられる。一方の画像51が携帯電話１の表示画面３に表示され，他方の画像52Ａが携帯電話１の表示画面12に表示される。表示画面３の解像度と表示画面12の解像度とが異なった場合に，画像51の大きさと画像52Ａの大きさとが異なって表示されてしまうので，大きさが同じとなるように，画像51と画像52Ａとを調整して表示画面３および12に表示する。【選択図】図５
2009210775.tif 000002
【特許請求の範囲】
【請求項１】
いずれにも表示装置が設けられている第１の携帯電話と第２の携帯電話とを含む携帯電話システムであって，
上記第１の携帯電話が，
上記第１の携帯電話の表示装置の解像度および表示装置の表示画面の大きさを表す第１の表示性能データを上記第２の携帯電話に送信する第１の表示性能データ送信手段を備え，
上記第２の携帯電話が，
上記第１の携帯電話の上記第１の表示性能データ送信手段から送信された第１の表示性能データを受信する第１の表示性能データ受信手段，および
上記第２の携帯電話の表示装置の解像度および表示装置の表示画面の大きさを表す第２の表示性能データを上記第１の携帯電話に送信する第２の表示性能データ送信手段を備え，
上記第１の携帯電話が，
上記第２の携帯電話の上記第２の表示性能データ送信手段から送信された第２の表示性能データを受信する第２の表示性能データ受信手段，
画像を左右に分割したときに得られる第１の画像と第２の画像とのうち，上記第１の画像が上記第１の携帯電話の表示装置の表示画面に表示され，かつ上記第２の画像が上記第２の携帯電話の表示装置の表示画面に表示される場合に，上記第１の画像の大きさと上記第２の画像の大きさとが一致するように，第１の表示性能データと上記第２の表示性能データ受信手段によって受信した第２の表示性能データとにもとづいて上記第１の画像の大きさを調整する第１の画像調整手段，および
上記第１の画像調整手段によって大きさが調整された上記第１の画像を表示画面に表示するように上記第１の携帯電話の表示装置を制御する第１の表示制御手段を備え，
上記第２の携帯電話が，
上記第１の画像が上記第１の携帯電話の表示装置の表示画面に表示され，かつ上記第２の画像が上記第２の携帯電話の表示装置の表示画面に表示される場合に，上記第１の画像の大きさと上記第２の画像の大きさとが一致するように，上記第１の表示性能データ受信手段によって受信した第１の表示性能データと第２の表示性能データとにもとづいて上記第２の画像の大きさを調整する第２の画像調整手段，および
上記第２の画像調整手段によって大きさが調整された上記第２の画像を表示画面に表示するように上記第２の携帯電話の表示装置を制御する第２の表示制御手段，
を備えた携帯電話システム。
【請求項２】
いずれにも表示装置が設けられている一の携帯電話と他の携帯電話とを含む携帯電話システムを構成する一の携帯電話であって，
上記他の携帯電話から送信された上記他の携帯電話の表示装置の解像度および上記他の携帯電話の表示装置の大きさを表す表示性能データを受信する表示性能データ受信手段，
画像を左右に分割したときに得られる第１の画像と第２の画像とのうち，上記第１の画像が上記一の携帯電話の表示装置の表示画面に表示され，かつ上記第２の画像が上記他の携帯電話の表示装置の表示画面に表示される場合に，上記第１の画像の大きさと上記第２の画像の大きさとが一致するように，一の携帯電話の表示装置の解像度および一の携帯電話の表示画面の大きさを表す表示性能データと上記表示性能データ受信手段によって受信した表示性能データとにもとづいて上記第１の画像の大きさを調整する画像調整手段，および
上記第１の画像調整手段によって大きさが調整された上記第１の画像を表示画面に表示するように上記一の携帯電話の表示装置を制御する第１の表示制御手段，
を備えた携帯電話。
【請求項３】
上記第１の表示制御手段よる制御のもとに表示されている上記第１の画像のスクロール指令を入力するスクロール指令入力手段，
上記スクロール指令入力手段から入力されたスクロール指令にしたがって，表示画面に表示されている上記第１の画像をスクロールするように表示装置を制御する第２の表示制御手段，および
上記スクロール指令入力手段から入力したスクロール指令を上記第２の携帯電話に送信するスクロール指令送信手段，
をさらに備えた請求項２に記載の携帯電話。
【請求項４】
上記他の携帯電話は，上記解像度データをサーバに送信するものであり，
上記解像度データ受信手段は，上記サーバを介して上記他の携帯電話から送信された上記他の携帯電話の表示装置の解像度を表す解像度データを受信するものである，
請求項３に記載の携帯電話。
【請求項５】
上記スクロール指令送信手段は，上記スクロール指令入力手段から入力したスクロール指令を，上記サーバを介して上記第２の携帯電話に送信するものである，
請求項４に記載の携帯電話。
【請求項６】
いずれにも表示装置が設けられている一の携帯電話と他の携帯電話とを含む携帯電話システムを構成する一の携帯電話の制御方法であって，
表示性能データ受信手段が，上記他の携帯電話から送信された上記他の携帯電話の表示装置の解像度および上記他の携帯電話の表示装置の大きさを表す表示性能データを受信し，
画像調整手段が，画像を左右に分割したときに得られる第１の画像と第２の画像とのうち，上記第１の画像が上記一の携帯電話の表示装置の表示画面に表示され，かつ上記第２の画像が上記他の携帯電話の表示装置の表示画面に表示される場合に，上記第１の画像の大きさと上記第２の画像の大きさとが一致するように，一の携帯電話の表示装置の解像度および一の携帯電話の表示画面の大きさを表す表示性能データと上記表示性能データ受信手段によって受信した表示性能データとにもとづいて上記第１の画像の大きさを調整し，
表示制御手段が，上記第１の画像調整手段によって大きさが調整された上記第１の画像を表示画面に表示するように上記一の携帯電話の表示装置を制御する，
携帯電話の制御方法。
【発明の詳細な説明】
【技術分野】
【０００１】
この発明は，携帯電話システムならびに携帯電話およびその制御方法に関する。
【背景技術】
【０００２】
携帯電話のような携帯端末には，表示画面が設けられていることが一般的である。表示画面の大きさは，徐々に大きくなっているが，携帯端末自体に大きさの制限があるために，表示画面の大きさにも制限がある。表示画面の大きさに制限があることから，携帯電話に２つの表示画面を設けるもの（特許文献１，２），外部の表示装置を追加するもの（特許文献３）などがある。しかしながら，表示はされる画像は見づらく，未だ改良の余地がある。
【特許文献１】特開平10-341290号公報
【特許文献２】特開2003-157066号公報
【特許文献３】特開2003-162354号公報
【発明の開示】
【０００３】
この発明は，比較的大きな画像を見やすく表示できるようにすることを目的とする。
【０００４】
第１の発明は，いずれにも表示装置が設けられている第１の携帯電話と第２の携帯電話とを含む携帯電話システムについてのものである。
【０００５】
上記第１の携帯電話は，上記第１の携帯電話の表示装置の解像度および表示装置の表示画面の大きさを表す第１の表示性能データを上記第２の携帯電話に送信する第１の表示性能データ送信手段を備え，上記第２の携帯電話は，上記第１の携帯電話の上記第１の表示性能データ送信手段から送信された第１の表示性能データを受信する第１の表示性能データ受信手段，および上記第２の携帯電話の表示装置の解像度および表示装置の表示画面の大きさを表す第２の表示性能データを上記第１の携帯電話に送信する第２の表示性能データ送信手段を備える。
【０００６】
上記第１の携帯電話は，上記第２の携帯電話の上記第２の表示性能データ送信手段から送信された第２の表示性能データを受信する第２の表示性能データ受信手段，画像を左右に分割したときに得られる第１の画像と第２の画像とのうち，上記第１の画像が上記第１の携帯電話の表示装置の表示画面に表示され，かつ上記第２の画像が上記第２の携帯電話の表示装置の表示画面に表示される場合に，上記第１の画像の大きさと上記第２の画像の大きさとが一致するように，第１の表示性能データと上記第２の表示性能データ受信手段によって受信した第２の表示性能データとにもとづいて上記第１の画像の大きさを調整する第１の画像調整手段，および上記第１の画像調整手段によって大きさが調整された上記第１の画像を表示画面に表示するように上記第１の携帯電話の表示装置を制御する第１の表示制御手段をさらに備える。
【０００７】
上記第２の携帯電話は，上記第１の画像が上記第１の携帯電話の表示装置の表示画面に表示され，かつ上記第２の画像が上記第２の携帯電話の表示装置の表示画面に表示される場合に，上記第１の画像の大きさと上記第２の画像の大きさとが一致するように，上記第１の表示性能データ受信手段によって受信した第１の表示性能データと第２の表示性能データとにもとづいて上記第２の画像の大きさを調整する第２の画像調整手段，および上記第２の画像調整手段によって大きさが調整された上記第２の画像を表示画面に表示するように上記第２の携帯電話の表示装置を制御する第２の表示制御手段をさらに備える。
【０００８】
第１の発明によると，第１の携帯電話の表示装置の解像度および表示装置の表示画面を表す第１の表示性能データが第２の携帯電話に送信され，第２の携帯電話の表示装置の解像度および表示装置の表示画面の大きさを表す第２の解像度データが第１の携帯電話に送信される。画像を左右に分割したときに得られる第１の画像と第２の画像とのうち，第1の画像が第１の携帯電話の表示装置の表示画面に表示され，かつ第２の画像が上記第２の携帯電話の表示装置の表示画面に表示される場合に，第１の画像の大きさと第２の画像の大きさとが一致するように，第１の表示性能データと第２の表示性能データとにもとづいて第１の携帯電話において上記第１の画像の大きさが調整され，調整された第１の画像が第１の携帯電話の表示装置の表示画面に表示される。また，上記第２の画像が上記第２の携帯電話の表示装置の表示画面に表示される場合に，上記第１の画像の大きさと上記第２の画像の大きさとが一致するように，第１の表示性能データと第２の表示性能データとにもとづいて第２の携帯電話において上記第２の画像の大きさが調整され，大きさが調整された第２の画像が表示画面に表示される。
【０００９】
第１の携帯電話の表示画面には，画像を左右に分割したときに得られる一方の第１の画像が表示され，第２の携帯電話の表示画面には，画像を左右に分割したときに得られる他方の第２の画像が表示される。画像を大きく表示することができる。第１の携帯電話の表示装置の解像度と第２の携帯電話の表示装置の解像度とが異なる場合には，第１の表示画像の大きさと第２の表示画像の大きさとが異なってしまうことがあるが，大きさが一致するように調整された第１の画像と第２の画像とが表示されるので，閲覧した場合に見やすいものとなる。
【００１０】
第２の発明は，上記携帯電話システムを構成する携帯電話についてのものである。すなわち，第２の発明は，いずれにも表示装置が設けられている一の携帯電話と他の携帯電話とを含む携帯電話システムを構成する一の携帯電話についてのものである。
【００１１】
上記他の携帯電話から送信された上記他の携帯電話の表示装置の解像度および上記他の携帯電話の表示装置の大きさを表す表示性能データを受信する表示性能データ受信手段，画像を左右に分割したときに得られる第１の画像と第２の画像とのうち，上記第１の画像が上記一の携帯電話の表示装置の表示画面に表示され，かつ上記第２の画像が上記他の携帯電話の表示装置の表示画面に表示される場合に，上記第１の画像の大きさと上記第２の画像の大きさとが一致するように，一の携帯電話の表示装置の解像度および一の携帯電話の表示画面の大きさを表す表示性能データと上記表示性能データ受信手段によって受信した表示性能データとにもとづいて上記第１の画像の大きさを調整する画像調整手段，および上記第１の画像調整手段によって大きさが調整された上記第１の画像を表示画面に表示するように上記一の携帯電話の表示装置を制御する第１の表示制御手段を備えていることを特徴とする。
【００１２】
第２の発明は，上記携帯電話に適した制御方法も提供している。すなわち，この方法は，いずれにも表示装置が設けられている一の携帯電話と他の携帯電話とを含む携帯電話システムを構成する一の携帯電話の制御方法であって，表示性能データ受信手段が，上記他の携帯電話から送信された上記他の携帯電話の表示装置の解像度および上記他の携帯電話の表示装置の大きさを表す表示性能データを受信し，画像調整手段が，画像を左右に分割したときに得られる第１の画像と第２の画像とのうち，上記第１の画像が上記一の携帯電話の表示装置の表示画面に表示され，かつ上記第２の画像が上記他の携帯電話の表示装置の表示画面に表示される場合に，上記第１の画像の大きさと上記第２の画像の大きさとが一致するように，一の携帯電話の表示装置の解像度および一の携帯電話の表示画面の大きさを表す表示性能データと上記表示性能データ受信手段によって受信した表示性能データとにもとづいて上記第１の画像の大きさを調整し，表示制御手段が，上記第１の画像調整手段によって大きさが調整された上記第１の画像を表示画面に表示するように上記一の携帯電話の表示装置を制御するものである。
【００１３】
第２の発明においても第１の発明と同様に，大きさが調整された第１の画像を一の携帯電話に表示し，大きさが調整された第２の画像を他の携帯電話に表示させることができる。
【００１４】
上記第１の表示制御手段よる制御のもとに表示されている上記第１の画像のスクロール指令を入力するスクロール指令入力手段，上記スクロール指令入力手段から入力されたスクロール指令にしたがって，表示画面に表示されている上記第１の画像をスクロールするように表示装置を制御する第２の表示制御手段，および上記スクロール指令入力手段から入力したスクロール指令を上記第２の携帯電話に送信するスクロール指令送信手段をさらに備えるようにしてもよい。
【００１５】
上記他の携帯電話は，上記解像度データをサーバに送信するものでもよい。この場合，上記解像度データ受信手段は，上記サーバを介して上記他の携帯電話から送信された上記他の携帯電話の表示装置の解像度を表す解像度データを受信するものとなろう。
【００１６】
また，上記スクロール指令送信手段は，上記スクロール指令入力手段から入力したスクロール指令を，上記サーバを介して上記第２の携帯電話に送信するものでもよい。
【実施例】
【００１７】
図１は，この発明の実施例を示すもので，携帯電話システムの概要を示している。
【００１８】
携帯電話システムには，互いに通信可能な第１の携帯電話１と第２の携帯電話10とが含まれている。第１の携帯電話１の上部にはアンテナ２が形成されており，前面には表示画面３が形成されている。表示画面３の解像度は，幅が240画素，高さが320画素をもつＱＶＧＡ（Quarter Video Graphics Array）である。第２の携帯電話10の上部にもアンテナ11が形成されており，前面に表示画面12が形成されている。表示画面12の解像度は，幅が480画素，高さが640画素をもつＶＧＡタイプのものである。解像度は，通常１インチ当たりのドット数（dpi：dot per inch）で表されるが，この実施例においては分かり易くするために画素数で表すこととする。
【００１９】
この実施例による携帯電話システムにおいては，一駒の画像が左右に分けられ，左右に分けられた画像のうち一方の第１の画像が第１の携帯電話１の表示画面３に表示され，他方の第２の画像が第２の携帯電話10の表示画面12に表示される。もちろん，第１の画像が第２の携帯電話10の表示画面12に表示され，第２の画像が第１の携帯電話１の表示画面３に表示されてもよい。
【００２０】
一駒の画像が分けられて２つの表示画面に表示されるので，表示画面の一つ一つが小さくても比較的大きな画像を表示できるようになる。第１の携帯電話１の表示画面３の解像度（または大きさ）と第２の携帯電話10の表示画面12の解像度（または大きさ）とが異なる場合には，同じ大きさの画像を表示画面３と表示画面12とに表示しても，表示画面３に表示された画像の大きさと表示画面12に表示された画像の大きさとが異なることがある。一駒の画像が分けられて表示画面３と表示画面12とに表示された場合には，表示画面３に表示された画像と表示画面12に表示された画像との間で連続性が保てない（図４参照）。このために，この実施例においては，表示画面３に表示された画像と表示画面12に表示された画像との間で連続性が保てるように画像の大きさ（高さ）が調整される（図５参照）。
【００２１】
図２は，携帯電話１（携帯電話10も同様である）の電気的構成を示すブロック図である。
【００２２】
携帯電話１の全体の動作は，中央演算装置20によって統括される。
【００２３】
携帯電話１には，データ等を一時的に記憶するメモリ21，センサ23，センサ23を制御する制御回路22，ディジタル・カメラ25，ディジタル・カメラ25を制御するカメラ制御回路24，画像データ等を記憶するストレージ27，ストレージ27を制御するストレージ制御回路26，ディスプレイ29，ディスプレイ26を制御する表示制御回路28などが含まれている。
【００２４】
また，携帯電話１には，基地局と通信するための基地局通信回路31，携帯電話10と通信するための赤外線通信回路32，狭域無線通信回路33，これらの回路31〜33を制御するための通信制御回路30が含まれている。さらに，携帯電話１にはマイクロフォン35およびスピーカ36が含まれ，これらのマイクロフォン35およびスピーカ36を制御するための音声制御回路34が含まれている。携帯電話１には，テン・キーパッド，スクロール・バーなどのボタン類38およびボタン類38を制御するための操作制御回路37も含まれている。
【００２５】
図３（Ａ），（Ｂ）〜図５は，この実施例による画像表示の原理を示している。
【００２６】
図３（Ａ）は，一駒の画像の一例である。
【００２７】
画像40には，主要被写体像40が含まれている。
【００２８】
この実施例においては，一駒の画像40が左右の第１の画像41と第２の画像42とに分けられる。第１の画像41と第２の画像42とは，画像40の中央で左右に分けられてもよいし，中央でなくともよい。一駒の画像40が分けられた第１の画像41には，一駒の画像40に含まれている主要被写体40うちの一部分である第１の被写体像部分44が含まれている。同様に，第２の画像42には，主要被写体40のうちの一部分である第２の被写体像部分45が含まれている。
【００２９】
図４は，図３（Ｂ）に示すように，第１の画像41の大きさと第２の画像42の大きさとを調整することなく，第１の画像41を第１の携帯電話１の表示画面３に表示し，第２の画像42を第２の携帯電話10の表示画面12に表示したものである。
【００３０】
上述のように，第１の携帯電話１の表示画面３はＱＶＧＡであり，第２の携帯電話10の表示画面12はＶＧＡである。左右に分割された第１の画像41が第１の携帯電話１の表示画面３に表示され，第２の画像42が第２の携帯電話10の表示画面12に表示されると，第１の携帯電話１の表示画面３に表示された画像51は，第２の携帯電話10の表示画面12に表示された画像52と比べて大きくなる（画像52が画像51と比べて小さくなる）。このために，画像51に含まれている主要被写体像部分53と画像52に含まれている主要被写体像部分54とが連続しなくなる。この実施例では，主要被写体像部分53と54とが連続するように第１の携帯電話１に表示される画像51の大きさと第２の携帯電話10に表示される画像52の大きさとの少なくとも一方が調整される。
【００３１】
図５は，図３（Ｂ）に示すように，第１の画像41の大きさと第２の画像42の大きさとを調整して，第１の画像41を第１の携帯電話１の表示画面３に表示し，第２の画像42を第２の携帯電話10の表示画面12に表示したものである。
【００３２】
第１の携帯電話１の表示画面３に表示される画像51は図４に示すものと同じであるが，第２の携帯電話10の表示画面12に表示される画像52Ａは図４に示すものと比べて拡大されている。この拡大率についての算出方法は，後述する。
【００３３】
第１の携帯電話１の表示画面３に表示される画像51と第２の携帯電話10の表示画面12に表示される画像52Ａとは大きさが同じとなるように表示されるので，一駒の画像を左右に分けて，分けられたそれぞれの画像を２つの表示画面３または12に表示するようにしても表示画面３に表示される画像51と表示画面12に表示される画像52Ａとの連続性を保つことができる。
【００３４】
図６は，第１の携帯電話１と第２の携帯電話10のそれぞれに記憶される表示性能一覧テーブルの一例である。
【００３５】
第１の携帯電話１と第２の携帯電話10とのそれぞれにおいて表示性能テーブルが格納されている。表示性能テーブルには，携帯電話の機種名ごとに表示画面幅，表示画面高，解像度幅（その表示画面に表示できる幅方向の画素数，幅方向の解像度）および解像度高（その表示画面に表示できる高さ方向の画素数，高さ方向の解像度）が格納されている。表示画面幅は，携帯電話に形成されている表示画面の横方向の大きさを示すものである。表示画面高は，携帯電話に形成されている表芝画面の縦方向の高さを示すものである。解像度幅は，表示画面の横方向の解像度であるが，この実施例では上述したように幅方向に表示できる画素数とする。解像度高は，表示画面の縦方向の解像度であるが，この実施例では上述したように高さ方向に表示できる画素数とする。第１の携帯電話１と第２の携帯電話10との間で互いに通信が行われることにより，表示性能テーブルに情報が格納されていく。
【００３６】
拡大率は，次のようにして算出することができる。
【００３７】
２つの表示画面に表示される画像の大きさが同じとなるようにするには，２つの表示画面のそれぞれの表示画面に表示される画像を構成する画素の１画素の大きさが同じとなればよい。１画素の幅Ｍｗは式１から，１画素の高さＭｈは式２からそれぞれ得られる。
Ｍｗ＝Ｄｗ／Ｐｗ・・・式１
Ｍｈ＝Ｄｈ／Ｐｈ・・・式２
【００３８】
幅の拡大率をＺｗとすると，式３が成立する。但し，式３において，Ｍｗ１は一方の表示画面に表示される画像の１画素の幅であり，Ｍｗ２は他方の表示画面に表示される画像の１画素の幅である。
【００３９】
Ｍｗ２＝Ｚｗ・Ｍｗ１・・・式３
【００４０】
式３に式１および式２を代入すると，式４となる。但し，式４において，Ｄｗ１は一方の表示画面の幅であり，Ｄｗ２は他方の表示画面の幅である。また，Ｐｗ１は一方の表示画面の幅方向の解像度（画素数）であり，Ｐｗ２は他方の表示画面の高さ方向の解像度（画素数）である。
Ｄｗ２／Ｐｗ２＝Ｚｗ・（Ｄｗ１／Ｐｗ１）・・・式４
【００４１】
拡大率Ｚｗ＝１／Ｃｗとなる倍率Ｃｗを導入すると，式４は式５となり，式５から倍率Ｃｗを表す式６が得られる。
Ｄｗ２／Ｐｗ２＝（Ｄｗ１／Ｃｗ・Ｐｗ１）・・・式５
Ｃｗ＝（Ｐｗ２・Ｄｗ１）／（Ｐｗ１・Ｄｗ２）・・・式６
【００４２】
高さ方向の倍率Ｃｈについても同様に得られる。
【００４３】
このような幅方向の倍率Ｃｗおよび高さ方向の倍率Ｃｈを用いて表示画面に表示される画像を拡大（縮小）することにより，２つの表示画面に表示される画像の大きさが一致する。
【００４４】
たとえば，図６に示す機種Ａ７５１とＢ８５１とのそれぞれの携帯電話の表示画面に表示される画像のうち，Ｂ８５１の機種の携帯電話の表示画面に表示される画像の倍率は，式７から0.5となる。
Ｃｗ＝（Ｐｗ２・Ｄｗ１）／（Ｐｗ１・Ｄｗ２）
＝（２４０・３８）／（４８０・３８）
＝0.5・・・式７
【００４５】
したがって，Ａ８５１の機種の携帯電話の表示画面に表示されている画像に合わせるようにするためには，Ｂ７５１の機種の携帯電話の表示画面に表示される画像の幅方向の倍率を0.5（高さ方向も0.5）倍すればよい。他の機種についても同様である。
【００４６】
図７は，携帯電話に表示される処理設定画像の一例である。
【００４７】
初期設定画像３には，親機または子機を設定するためのウインドウ４が形成されている。このウインドウ４の右側には，選択ボタン５が形成されており，この選択ボタン５をボタンによって移動するカーソルを用いて指定することにより，親機または子機を設定できる。また，初期設定画像３には，接続方法を設定するためのウインドウ６も形成されている。このウインドウ６の右側にも選択ボタン７が形成されており，この選択ボタン７を用いて接続方法を設定することができる。接続方法には，赤外線通信，狭域無線通信などがある。さらに，初期設定画像３には起動ボタン８が形成されている。起動ボタン８がクリックされたことにより，処理が開始する。
【００４８】
図８は，第１の携帯電話１と第２の携帯電話10との間での通信処理手順を示すフローチャートである。この実施例では，第１の携帯電話１が親機であり，第２の携帯電話10が子機であるものとする。また，第１の携帯電話１の表示画面３に表示される第１の画像を表す画像データは第１の携帯電話１に格納されており，第２の携帯電話10の表示画面12に表示される第２画像を表す画像データは第２の携帯電話10に格納されているものとする。
【００４９】
第１の携帯電話１および第２の携帯電話10のそれぞれにおいて初期設定が行われる（ステップ61，71）。第１の携帯電話１が親機に，第２の携帯電話10が子機に設定され，共通の接続方法とされる。以下，親機である第１の携帯電話１を親機１，子機である第２の携帯電話10を子機10とする。
【００５０】
親機１の表示性能（上述の表示画面高，表示画面幅，解像度幅，解像度高）を示すデータが機種名を表すデータとともに子機10に送信される（ステップ62）。
【００５１】
親機１から送信された表示性能を示すデータ，機種名を表すデータが子機10において受信されると（ステップ72），子機10の表示性能テーブルに，機種名に対応して親機１の表示性能が格納される。また，子機10の表示性能を示すデータ，機種名を表すデータが子機10から親機１に送信される（ステップ73）。
【００５２】
子機10から送信された表示性能を示すデータ，機種名を表すデータが親機１において受信されると（ステップ63），親機１の表示性能テーブルに，機種名に対応して子機10
の表示性能が格納される。
【００５３】
上述のように，親機１の表示画面３に表示される第１の画像の大きさと子機10の表示画面12に表示される第２の画像の大きさとが対応するように，親機１の表示画面３の表示性能と子機10の表示画面12の表示性能とから第１の画像の大きさ調整が親機１において行われる（ステップ64），あるいは第２の画像の大きさ調整が子機10において行われる（ステップ74）。このような大きさ調整は親機１および子機10の両方で行われてもよいし，いずれか一方で行われてもよい。いずれか一方で行われる場合には，他方の大きさ調整を停止する手段が必要に応じて親機１および子機10に設けられよう。
【００５４】
処理の停止指令が親機１に入力されなければ（ステップ65でＮＯ），表示命令が親機１から子機10に送信される（ステップ66）。
【００５５】
子機10においても処理の停止命令が入力されなければ（ステップ75でＮＯ），親機１から送信された表示指令が子機10において受信される（ステップ76）。すると，子機10から親機１に表示命令を受信した旨を示すデータが送信される（ステップ77）。
【００５６】
子機10から送信された表示命令を受信した旨を示すデータが親機において受信される（ステップ67）。
【００５７】
一駒が左右に分割された画像の一方の画像が親機１の表示画面３に表示され，他方の画像が子機10の表示画面12に表示される（ステップ68，78）。しかも，画像は大きさ調整されたものであるから，図５に示すように連続性を保つように表示されることとなる。
【００５８】
図９から図14は，他の実施例を示すものである。上述の実施例では，第１の携帯電話１と第２の携帯電話10とが直接通信しているが，次に示す実施例ではサーバを介して第１の携帯電話１と第２の携帯電話10とが通信する。
【００５９】
図９は，携帯電話システムの概要を示している。この図において，図１に示すものと同一物には同一符号を付して説明を省略する。
【００６０】
親機１および子機10は，いずれも通信会社の基地局80と通信可能である。親機１および子機10は，基地局80およびインターネットを介して連携サーバ81と通信できる。親機１の通信プロトコルと子機10の通信プロトコルとが異なるなどにより，親機１と子機10とが直接に通信できない場合に親機１と子機10とが通信可能となる。
【００６１】
図10は，連携サーバ81の電気的構成を示すブロック図である。
【００６２】
連携サーバ81の全体の動作は，中央演算装置82によって統括される。
【００６３】
連携サーバ81には，データを一時的に記憶するメモリ83，キーボード85，キーボード85を制御する操作制御回路84，ディスプレイ87，ディスプレイ87を制御する表示制御回路86，ネットワーク・インターフェイス88，ストレージ（ハードディスク）90を制御するストレージ制御回路89が含まれている。
【００６４】
図11は，連携サーバ81に記憶される端末情報テーブルの一例である。
【００６５】
連携サーバ81は，多数の携帯電話からアクセスされるので，携帯電話からアクセスがあった場合に，そのアクセスした携帯電話がどの携帯電話と通信するのかを認識しておく必要がある。このために連携サーバ81に記憶されているのが端末情報テーブルの一例である。
【００６６】
端末情報テーブルには，ＩＤごとに所有ユーザＩＤ，連携グループＩＤ，端末固有ＩＤおよび親機または子機の別が格納されている。所有ユーザＩＤは，携帯電話を所有しているユーザを識別するためのＩＤである。連携グループＩＤは，グループを構成する携帯電話を識別するためのＩＤである。端末固有ＩＤは，携帯電話を識別するためのＩＤである。図11に示す例では，ＩＤ０００１およびＩＤ０００２が共通のグループを構成し，ＩＤ０００１が親機，ＩＤ０００２が子機である。同様に，ＩＤ０００３，ＩＤ０００４およびＩＤ０００５が共通のグループを構成し，ＩＤ０００４が親機，ＩＤ０００３およびＩＤ０００５が子機である。グループが３つ以上の携帯電話から構成される場合には，一駒の画像を左右に３つ以上にわけて，それぞれの画像を３つの携帯電話の表示画面のそれぞれに表示するようにしてもよい。
【００６７】
図12は連携サーバ81の処理手順を示すフローチャート，図13は親機１の処理手順を示すフローチャート，図13は子機10の処理手順を示すフローチャートである。連携サーバ81を介して親機１と子機10とが通信するものとする。
【００６８】
上述のように，親機１および子機10の初期設定がそれぞれ行われる（図13ステップ121，図14ステップ131）。
【００６９】
親機１の表示性能を示すデータ，機種名を表すデータが親機１から連携サーバ81に送信される（図13ステップ122）。
【００７０】
連携サーバ81において処理が終了していなければ（図12ステップ101でＮＯ），親機１から送信されたデータが受信される（図12ステップ103でＹＥＳ）。連携サーバ81において端末情報テーブルが確認されて（図12ステップ104），親機１のグループである子機10についての情報が見つけられる。親機１から送信された要求（データ）であった場合には（図12ステップ105），その子機10に宛てられ要求が連携サーバ81に保存される（図12ステップ106）。連携サーバ81に保存された子機10向け要求は，子機10から連携サーバ81にアクセスがあったときに子機10に送信される。もっとも，子機10向けの要求を保存せずに子機10からのアクセスを待つことなく，連携サーバ81から子機10に送信するようにしてもよい。
【００７１】
連携サーバ81に親機１向けの情報が格納されているかどうかが確認され（図12ステップ107），親機１向けの情報が格納されていれば（図12ステップ108でＹＥＳ），親機１に連携サーバ81から情報が送信される（図12ステップ109）。
【００７２】
子機10が連携サーバ81にアクセスすると，（図12ステップ103でＹＥＳ），端末情報テーブルが確認されて（図12ステップ104），その子機10の親機１が見つけられる。連携サーバ81にアクセスしたのが子機10であるから（図12ステップ105），子機10向けの要求が連携サーバ81に格納されているかどうかが確認される（ステップ110）。格納されていれば（図12ステップ111でＹＥＳ），その格納されている情報が連携サーバ81から子機10に送信される（図12ステップ112）。子機10が連携サーバ81から送信された情報を受信すると，受信した旨のデータ（返答）が子機10から連携サーバ81に送信される。その受信した旨のデータが連携サーバ81において受信される（図12ステップ113）。また，子機10から送信された親機１向けの情報が連携サーバ12に格納される（図12ステップ114）。格納された親機１向けの情報は，親機１が連携サーバ81にアクセスしたときに親機１に送信される。
【００７３】
上述のように，親機１が連携サーバ81にアクセスし，その後，子機10が連携サーバ81にアクセスすると，子機10に親機１の表示性能を示すデータ，機種名を表すデータが受信される（図14ステップ132）。すると，子機10の表示性能を示すデータ，機種名を表すデータが子機10から連携サーバ81に送信される（図14ステップ133）。
【００７４】
また，親機１が連携サーバ81にアクセスしたときに，子機10から送信された子機10の表示性能を示すデータ，機種名を表すデータが連携サーバ81に格納されていると，それらのデータが連携サーバ81から親機１に送信されて親機１において受信される（図13ステップ123）。親機１において，親機１の解像度と子機10の解像度とから必要であれば第１の画像の大きさが調整される（図13ステップ124）。処理が終了でなければ（図13ステップ125でＮＯ），表示命令が連携サーバ81に送信される（図13ステップ126）。
【００７５】
子機10においても親機１の解像度と子機10の解像度とから第２の画像の大きさが調整される（図14ステップ134）。処理が終了でなければ（ステップ135でＮＯ），表示命令が連携サーバ81から受信される（図14ステップ136）。すると，表示命令受信が連携サーバ81に送信されて（図14ステップ137），必要に応じて大きさ調整された第２の画像が子機10の表示画面12に表示される（図14ステップ138）。
【００７６】
子機10から送信された表示命令受信した旨のデータが連携サーバ81を介して親機１において受信されると（図13ステップ127），親機１においても表示画面３に必要に応じて大きさが調整された第１の画像が表示される（図13ステップ128）。
【００７７】
上述の実施例においては，画像の大きさ調整は，親機１または子機10において行われているが，画像データを連携サーバ81に送信することにより，画像の大きさ調整を連携サーバ81において行うようにすることもできる。その場合には，画像の大きさ調整が行われた画像データが親機１および子機10に連携サーバ81から送信されることとなろう。
【００７８】
図15は，図８に示すフローチャートに対応するフローチャートである。図15に示す処理において，図８に示す処理と同一の処理については同一符号を付して説明を省略する。
【００７９】
図８に示す処理では，親機１に第１の画像41にもとづいて得られる画像51を表示し，子機10に第２の画像42にもとづいて得られる画像52Ａが表示されるが，図15に示す処理では，親機１において画像のスクロール指令が入力されると（ステップ131でＹＥＳ），親機１において画像がスクロールされる（ステップ132）。さらに，そのスクロール指令が親機１から子機10に送信される（ステップ133）。
【００８０】
子機10において，親機１から送信されたスクロール指令が受信されると（ステップ141でＹＥＳ），その指令に応じて，子機10に表示されている画像もスクロールされる（ステップ142）。
【００８１】
このように，親機１の指令が子機10にも送信されるので，親機１に画像の一部が表示され，子機10に画像の残りの一部が表示された場合でも同期して画像がスクロールされることとなる。親機１の表示画面３の解像度と子機10の表示画面12の解像度との相違があるとスクロール量が変わるので，解像度にあわせて，親機１のスクロール量と子機10のスクロール量とが同期するように親機１から子機10にスクロール量を示すデータが送信されるのはいうまでもない。たとえば，親機１の表示画面３はＱＶＧＡであり，子機１の表示画面12はＶＧＡであるから，親機１において10ドット分のスクロールが行われた場合には子機10において20ドット分のスクロールが行われるように，親機１から子機10に指令が与えられようになる。
【００８２】
上述の実施例では，親機１と子機10とが直接に通信する場合に親機１から子機10にスクロール指令が送信されているが，上述したように，連携サーバ81を介して親機１と子機10とが通信する場合でも同様に，親機１に与えられたスクロール指令を子機10に送信できるのはいうまでもない。
【００８３】
さらに，親機１のボタン類と子機10のボタン類とを組み合わせて新しい機能，入力方法を増やすこともできる。
【図面の簡単な説明】
【００８４】
【図１】携帯電話システムの概要を示している。
【図２】携帯電話の電気的構成を示すブロック図である。
【図３】（Ａ）および（Ｂ）は，画像の一例である。
【図４】画像が表示されている携帯電話システムの一例である。
【図５】画像が表示されている携帯電話システムの一例である。
【図６】表示性能テーブルの一例である。
【図７】携帯電話の表示画面に表示される初期設定画像の一例である。
【図８】携帯電話システムの処理手順を示すフローチャートである。
【図９】携帯電話システムの概要を示すフローチャートである。
【図１０】連携サーバの電気的構成を示すブロック図である。
【図１１】端末情報テーブルの一例である。
【図１２】連携サーバの処理手順を示すフローチャートである。
【図１３】親機の処理手順を示すフローチャートである。
【図１４】子機の処理手順を示すフローチャートである。
【図１５】携帯電話システムの処理手順を示すフローチャートである。
【符号の説明】
【００８５】
１  親機（第１の携帯電話）
10  子機（第２の携帯電話）
20  中央演算装置（第１の画像調整手段）
28  表示制御装置（第１の表示制御手段）
32  赤外線通信回路（第１の解像度データ送信手段，第２の解像度データ受信手段）
33  狭域無線通信回路
【図１】
2009210775.tif 000003
【図２】
2009210775.tif 000004
【図３】
2009210775.tif 000005
【図４】
2009210775.tif 000006
【図５】
2009210775.tif 000007
【図６】
2009210775.tif 000008
【図７】
2009210775.tif 000009
【図８】
2009210775.tif 000010
【図９】
2009210775.tif 000011
【図１０】
2009210775.tif 000012
【図１１】
2009210775.tif 000013
【図１２】
2009210775.tif 000014
【図１３】
2009210775.tif 000015
【図１４】
2009210775.tif 000016
【図１５】
2009210775.tif 000017